(57)【要約】【課題】簡単なヘッド構成で双方向色差を目立たなくする。【解決手段】複数色の液体、マゼンタ（Ｍ）の液体を吐出するノズル１１Ａと、シアン（Ｃ）の液体を吐出するノズル１１Ｂが主走査方向（第１方向）に平行に並んで配置され、同じ色の液体を吐出可能な複数のノズル１１Ａは、副走査方向に略Ｖ字形状で配置され、同じ色の液体を吐出可能な複数のノズル１１Ｂも、副走査方向に略Ｖ字形状で配置されており、液体を吐出するときには主走査方向に並ぶノズル１１の一端から順に液体を吐出する。【選択図】図３
2019177595.tif 000002
【特許請求の範囲】
【請求項１】
複数色の液体を吐出するノズルが主走査方向に平行に並び、
同じ色の液体を吐出する複数のノズルは、副走査方向に略Ｖ字形状に並び、
前記ノズルから液体を吐出するときには前記主走査方向に平行に並ぶ前記ノズルの一端から順に吐出される
ことを特徴とする液体吐出ヘッド。
【請求項２】
前記副走査方向にＶ字形状に並ぶノズル数を前記副走査方向における１単位とするとき、前記副走査方向にｎ単位（ｎ＝整数）繰り返し配置されている
ことを特徴とする請求項１に記載の液体吐出ヘッド。
【請求項３】
複数色の液体を吐出するノズルが主走査方向に並んで配置され、
同じ色の液体を吐出する複数のノズルは、前記主走査方向に対し、副走査方向に右下がりで斜め並ぶノズルの列と、副走査方向に左下がりで斜め並ぶノズルの列と、を構成するように配置され、
前記右下がりで並ぶノズルと前記左下がりで並ぶノズルとは、前記副走査方向の位置がずれて配置されている
ことを特徴とする液体吐出ヘッド。
【請求項４】
前記ノズルに対応する液体を供給する複数の共通流路支流と、
前記複数の共通液室支流に通じる共通流路本流と、を有し、
前記複数色の各色に対応する前記共通流路支流が副走査方向に交互に配置されている
ことを特徴とする請求項１ないし３のいずれか記載の液体吐出ヘッド。
【請求項５】
主走査方向に往復移動可能なキャリッジと、
前記キャリッジに搭載された請求項１ないし４のいずれかに記載の液体吐出ヘッドと、を備え、
前記キャリッジを双方向に移動させて前記液体吐出ヘッドから液体を吐出させるとき、前記液体吐出ヘッドの前記主走査方向に並ぶ前記複数のノズルの移動方向先端側の前記ノズルから前記液体を吐出させる
ことを特徴とする液体を吐出する装置。
【発明の詳細な説明】
【技術分野】
【０００１】
本発明は液体吐出ヘッド、液体を吐出する装置に関する。
【背景技術】
【０００２】
液体を吐出する液体吐出ヘッドを主走査方向に往復走査させて双方向で印刷を行う場合、往路と復路で、液体の着弾順（吐出順）が逆順になることによって色差（双方向色差）が生じる。
【０００３】
従来、例えば、1色当たり２列のノズル列を有し、主走査方向に対して色順が左右対称になるように配置することで、往路と復路で同じ着弾順になるようにした抑制することが知られている（特許文献１）。
【先行技術文献】
【特許文献】
【０００４】
【特許文献１】特開２００１−９６７７１号公報
【発明の概要】
【発明が解決しようとする課題】
【０００５】
ところで、液体吐出ヘッドとしては、複数のノズルを二次元でマトリクス配置したものがあり、このようなマトリクス配置の液体吐出ヘッドを使用して、１色当たりのノズル列数を増加すると、ヘッド全体が大型化するという課題がある。
【０００６】
本発明は上記の課題に鑑みてなされたものであり、簡単なヘッド構成で双方向色差を目立たなくすることを目的とする。
【課題を解決するための手段】
【０００７】
上記の課題を解決するため、本発明に係る液体吐出ヘッドは、
複数色の液体を吐出するノズルが主走査方向に平行に並び、
同じ色の液体を吐出する複数のノズルは、副走査方向に略Ｖ字形状に並び、
前記ノズルから液体を吐出するときには前記主走査方向に平行に並ぶ前記ノズルの一端から順に吐出される
構成とした。
【発明の効果】
【０００８】
本発明によれば、簡単なヘッド構成で双方向色差を目立たなくすることができる。
【図面の簡単な説明】
【０００９】
【図１】本発明の第１実施形態に液体吐出ヘッドのノズル配置と共通流路を説明する平面説明図である。
【図２】同じくノズル配置を説明する平面説明図である。
【図３】双方向印刷におけるヘッドのノズル配置と着弾ドットの色順との関係の説明に供する説明図である。
【図４】本発明の第２実施形態に係る液体吐出ヘッドのノズル配置を説明する平面説明図である。
【図５】同じく各色の着弾順を説明する説明図である。
【図６】本発明に係る液体を吐出する装置としての印刷装置の一例の要部平面説明図である。
【図７】同印刷装置の要部側面説明図である。
【図８】同印刷装置の制御部のブロック説明図である。
【発明を実施するための形態】
【００１０】
以下、本発明の実施形態について添付図面を参照して説明する。本発明の第１実施形態について図１及び図２を参照して説明する。図１は同実施形態に係る液体吐出ヘッドのノズル配置と共通流路を説明する平面説明図、図２は同じくノズル配置を説明する平面説明図である。
【００１１】
液体吐出ヘッド１は、液体を吐出するノズル１１（１１Ａ、１１Ｂ）と、ノズル１１に通じる圧力室（個別液室）２１と、圧力室２１に通じる個別供給流路２２とを備えている。
【００１２】
そして、個別供給流路２２に供給口２３を介して通じる複数の共通流路支流５１（５１Ａ、５１Ｂ）と、複数の共通流路支流５１（５１Ａ、５１Ｂ）が通じる共通流路本流６１（６１Ａ、６１Ｂ）とを備えている。
【００１３】
共通流路本流６１Ａと共通流路本流６１Ｂとは、主走査方向（第１の方向）の両側に配置されている。共通流路支流５１Ａと共通流路支流５１Ｂとは、主走査方向と直交する副走査方向（第２の方向）に交互に配置されている。また、共通流路支流５１Ａと共通流路支流５１Ｂとは、平面視で、略Ｖ字形状をなしている。
【００１４】
ここで、共通流路本流６１Ａと共通流路本流６１Ｂとは異なる色の液体を供給する。これにより、例えば、共通流路支流５１Ａを通じてノズル１１Ａから第１の色の液体（本実施形態では、マゼンタＭの液体とする。）を吐出することが可能となる。共通流路支流５１Ｂを通じてノズル１１Ｂから第２の色の液体（本実施形態では、シアンＣの液体とする。）を吐出することが可能となる。
【００１５】
そして、この液体吐出ヘッド１においては、複数色の液体、例えば、上記のとおりマゼンタ（Ｍ）の液体を吐出するノズル１１Ａ（図２ではＡ１などの黒四角で示すノズル）と、シアン（Ｃ）の液体を吐出するノズル１１Ｂ（図２ではＢ１などの白四角で示すノズル）が主走査方向（第１方向）に平行に並んで配置されている。
【００１６】
また、ノズル１１Ａとノズル１１Ｂは、主走査方向と直交する副走査方向（第２方向）にも並んで配置されている。
【００１７】
ここで、同じ色の液体を吐出可能な複数のノズル１１Ａは、副走査方向に略Ｖ字形状で配置されている。同様に、同じ色の液体を吐出可能な複数のノズル１１Ｂも、副走査方向に略Ｖ字形状で配置されている。
【００１８】
つまり、同じ色の液体を吐出可能な複数のノズル１１Ａは、主走査方向に対し、副走査方向（第２方向）に右下がりに斜めに並ぶノズル列１１ＡＬと、副走査方向に左下がりに斜めに並ぶノズル列１１ＡＲとを構成するように配置されている。
【００１９】
同様に、同じ色の液体を吐出可能な複数のノズル１１Ｂは、主走査方向に対し、副走査方向に右下がりに斜め並ぶノズル列１１ＢＬと、副走査方向に左下がりに斜め並ぶノズル列１１ＢＲとを構成するように配置されている。
【００２０】
このように、同じ色の液体を吐出する複数のノズルは、主走査方向に対して左右対称の直線上に並んでいる。また、同じ色の液体を吐出する複数のノズルは、主走査方向及び副走査方向に対して斜めの直線上に並んでいる。これにより、同じ色の液体を吐出する複数のノズル略Ｖ字形状に並ぶ。
【００２１】
そして、右下がりで斜めにノズル１１Ａが並ぶノズル列１１ＡＬと、左下がりで斜めにノズル１１Ａが並ぶノズル列１１ＡＲとは、副走査方向でノズル１１Ａの位置がずれて配置されている。
【００２２】
同様に、右下がりで斜めにノズル１１Ｂが並ぶノズル列ＢＬと左下がりで斜めにノズル１１Ｂが並ぶノズル列１１ＢＲとは、副走査方向でノズル１１Ｂの位置がずれて配置されている。
【００２３】
また、副走査方向で一番上のドットから１番目のドット、２番目のドット、というように定義するとき、奇数番目のドットを形成するノズル１１は左側領域（ノズル列ＡＬ、ＢＬ）に配置され、偶数番目のドットを形成するノズルは右側領域（ノズル列ＡＲ、ＢＲ）に配置されている。
【００２４】
また、本実施形態では、副走査方向にＶ字形状に並ぶノズルの最大数（この例では、ノズル１１Ａ（Ａ１〜Ａ８の８個）を副走査方向における１単位ＮＢとするとき、副走査方向にｎ単位（ｎ＝整数、この例では、ｎ＝３）繰り返し配置されている。
【００２５】
次に、この液体吐出ヘッドによる双方向印刷を行った場合の色差について図３も参照して説明する。図３は同説明に供するヘッドのノズル配置と着弾ドットの色順との関係の説明に供する説明図である。
【００２６】
液体吐出ヘッド１を双方向に移動させて印刷を行う場合、主走査方向に並ぶノズル１１の一端から順に液体を吐出させる。
【００２７】
したがって、往路で印刷するときには、副走査方向における１ドット目は、ノズル１１Ｂ（Ｂ１）、ノズル１１Ａ（Ａ１）の順に着弾するので、着弾順はＣ→Ｍとなる。２ドット目は、ノズル１１Ａ（Ａ２）、ノズル１１Ｂ（Ｂ２）の順に着弾するので、着弾順はＭ→Ｃとなる。３ドット目は、ノズル１１Ｂ（Ｂ３）、ノズル１１Ａ（Ａ３）の順に着弾するので、着弾順はＣ→Ｍとなる。４ドット目は、ノズル１１Ａ（Ａ４）、ノズル１１Ｂ（Ｂ４）の順に着弾するので、着弾順はＭ→Ｃとなる。以下、５ドット目以降も同様である。
【００２８】
このように、往路印刷を行うとき、副走査方向では、Ｃ→Ｍ，Ｍ→Ｃの着弾順で着弾するドットが１ドット毎に繰り返され、ドット間隔を所定ピッチ以下にすることで色味の違いを視認できなくなる。
【００２９】
また、復路で印刷するときには、副走査方向における１ドット目は、ノズル１１Ａ（Ａ１）、ノズル１１Ｂ（Ｂ１）の順に着弾するので、着弾順はＭ→Ｃとなる。２ドット目は、ノズル１１Ｂ（Ｂ２）、ノズル１１Ａ（Ａ２）の順に着弾するので、着弾順はＣ→Ｍとなる。３ドット目は、ノズル１１Ａ（Ａ３）、ノズル１１Ｂ（Ｂ３）の順に着弾するので、着弾順はＭ→Ｃとなる。４ドット目は、ノズル１１Ｂ（Ｂ４）、ノズル１１Ａ（Ａ４）の順に着弾するので、着弾順はＣ→Ｍとなる。以下、５ドット目以降も同様である。
【００３０】
このように、復路印刷を行うときも、副走査方向では、Ｍ→Ｃ，Ｃ→Ｍの着弾順で着弾するドットが１ドット毎に繰り返され、ドット間隔を所定ピッチ以下にすることで色味の違いを視認できなくなる。
【００３１】
これにより、往路と復路の着弾順の違いによる色差が生じていても視認できなくなる。そして、同じ色の液体を吐出するノズルを副走査方向に略Ｖ字状になるように配置することで、１ドット毎に着弾順を入れ替えることができる配置となり、ヘッド構成が簡単で、ノズルの駆動制御も容易になる。
【００３２】
次に、本発明の第２実施形態について図４及び図５を参照して説明する。図４は同実施形態に係る液体吐出ヘッドのノズル配置を説明する平面説明図、図５は各色の着弾順を説明する説明図である。
【００３３】
本実施形態では、複数色の液体、例えば、マゼンタ（Ｍ）の液体を吐出するノズル１１Ａ（図４ではＡ１などの黒四角で示すノズル）と、イエロー（Ｙ）の液体を吐出するノズル１１Ｃ（図４ではＣ１などの網点四角で示すノズル）と、シアン（Ｃ）の液体を吐出するノズル１１Ｂ（図４ではＢ１などの白四角で示すノズル）が主走査方向（第１方向）に平行に並んで配置されている。
【００３４】
また、ノズル１１Ａ、ノズル１１Ｂ及びノズル１１Ｃは、主走査方向と直交する副走査方向（第２方向）にも並んで配置されている。
【００３５】
ここで、同じ色の液体を吐出可能な複数のノズル１１Ａは、副走査方向に略Ｖ字形状で配置されている。同様に、同じ色の液体を吐出可能な複数のノズル１１Ｂも、副走査方向に略Ｖ字形状で配置されている。同様に、同じ色の液体を吐出可能な複数のノズル１１Ｃも、副走査方向に略Ｖ字形状で配置されている。
【００３６】
つまり、同じ色の液体を吐出可能な複数のノズル１１Ａは、主走査方向に対し、副走査方向（第２方向）に右下がりに斜めに並ぶノズル列と、副走査方向に左下がりに斜めに並ぶノズル列とを構成するように配置されている。
【００３７】
同様に、同じ色の液体を吐出可能な複数のノズル１１Ｂは、主走査方向に対し、副走査方向に右下がりに斜め並ぶノズル列と、副走査方向に左下がりに斜め並ぶノズル列とを構成するように配置されている。
【００３８】
同様に、同じ色の液体を吐出可能な複数のノズル１１Ｃは、主走査方向に対し、副走査方向に右下がりに斜め並ぶノズル列と、副走査方向に左下がりに斜め並ぶノズル列とを構成するように配置されている。
【００３９】
そして、右下がりで斜めにノズル１１Ａが並ぶノズル列と、左下がりで斜めにノズル１１Ａが並ぶノズル列とは、副走査方向でノズル１１Ａの位置がずれて配置されている。
【００４０】
同様に、右下がりで斜めにノズル１１Ｂが並ぶノズル列と左下がりで斜めにノズル１１Ｂが並ぶノズル列とは、副走査方向でノズル１１Ｂの位置がずれて配置されている。
【００４１】
同様に、右下がりで斜めにノズル１１Ｃが並ぶノズル列と左下がりで斜めにノズル１１Ｃが並ぶノズル列とは、副走査方向でノズル１１Ｃの位置がずれて配置されている。
【００４２】
本実施形態の液体吐出ヘッド１を双方向に移動させて印刷を行う場合、主走査方向に並ぶノズル１１の一端から順に液体を吐出させる。
【００４３】
したがって、図５に示すように、シアンＣとマゼンタＭでブルーＢのドットを形成するとき、往路印刷においては、１ドット目から１２ドット目まで、４ドット目と５ドット目が同じ着弾順になる以外、Ｃ→Ｍの順で着弾するドットと、Ｍ→Ｃの順で着弾するドットが交互に現れる。
【００４４】
同様に、復路印刷においては、１ドット目から１２ドット目まで、４ドット目と５ドット目が同じ着弾順になる以外、Ｍ→Ｃの順で着弾するドットと、Ｃ→Ｍの順で着弾するドットが交互に現れる。
【００４５】
他のレッドＲ、グリーンＧのドットを形成するときも、同様に、図５に示すように、往路、復路の４ドット目と５ドット目、８ドット目と９ドット目が同じ着弾順になる以外、着弾順が逆のドットが交互に現れる。
【００４６】
したがって、前述したように、ドット間隔を所定ピッチ以下にすることで色味の違いを視認できないので、往路と復路の着弾順の違いによる色差が生じていても、視認できなくなる。そして、同じ色の液体を吐出するノズルを副走査方向に略Ｖ字状になるように配置することで、略１ドット毎に着弾順を入れ替えることができる配置となり、ヘッド構成が簡単で、ノズルの駆動制御も容易になる。
【００４７】
次に、本発明に係る液体を吐出する装置としての印刷装置の一例について図６及び図７を参照して説明する。図６は同装置の要部平面説明図、図７は同装置の要部側面説明図である。
【００４８】
この印刷装置５００は、シリアル型装置であり、主走査移動機構４９３によって、キャリッジ４０３は主走査方向に往復移動する。主走査移動機構４９３は、ガイド部材４０１、主走査モータ４０５、タイミングベルト４０８等を含む。ガイド部材４０１は、左右の側板４９１Ａ、４９１Ｂに架け渡されてキャリッジ４０３を移動可能に保持している。そして、主走査モータ４０５によって、駆動プーリ４０６と従動プーリ４０７間に架け渡したタイミングベルト４０８を介して、キャリッジ４０３は主走査方向に往復移動される。
【００４９】
キャリッジ４０３には、本発明に係る液体吐出ヘッド１及びヘッドタンク４４１を一体にした液体吐出ユニット４４０を搭載している。
【００５０】
この印刷装置５００は、シート材４１０を搬送するための搬送機構４９５を備えている。搬送機構４９５は、搬送手段である搬送ベルト４１２、搬送ベルト４１２を駆動するための副走査モータ４１６を含む。
【００５１】
搬送ベルト４１２はシート材４１０を吸着して液体吐出ヘッド１に対向する位置で搬送する。この搬送ベルト４１２は、無端状ベルトであり、搬送ローラ４１３と、テンションローラ４１４との間に掛け渡されている。吸着は静電吸着、あるいは、エアー吸引などで行うことができる。
【００５２】
そして、搬送ベルト４１２は、副走査モータ４１６によってタイミングベルト４１７及びタイミングプーリ４１８を介して搬送ローラ４１３が回転駆動されることによって、副走査方向に周回移動する。
【００５３】
さらに、キャリッジ４０３の主走査方向の一方側には搬送ベルト４１２の側方に液体吐出ヘッド１の維持回復を行う維持回復機構４２０が配置されている。
【００５４】
維持回復機構４２０は、例えばヘッド１のノズル面をキャッピングするキャップ部材４２１、ノズル面を払拭するワイパ部材４２２などで構成されている。
【００５５】
主走査移動機構４９３、維持回復機構４２０、搬送機構４９５は、側板４９１Ａ，４９１Ｂ、背板４９１Ｃを含む筐体に取り付けられている。
【００５６】
このように構成した印刷装置５００においては、シート材４１０が搬送ベルト４１２上に給紙されて吸着され、搬送ベルト４１２の周回移動によってシート材４１０が副走査方向に搬送される。
【００５７】
そこで、キャリッジ４０３を主走査方向に移動させながら画像信号に応じてヘッド１を駆動することにより、停止しているシート材４１０に液体を吐出して画像を形成する。
【００５８】
次に、この印刷装置５００の制御部の概要について図５を参照して説明する。図５は同制御部のブロック説明図である。
【００５９】
制御部５００は、装置全体の制御を司るＣＰＵ５０１、ＣＰＵ５０１が実行するプログラムを含む各種プログラムなどの固定データを格納するＲＯＭ５０２と、画像データ等を一時格納するＲＡＭ５０３で構成される主制御部５００Ａを備えている。
【００６０】
制御部５００は、装置の電源が遮断されている間もデータを保持するための書き換え可能な不揮発性メモリ５０４を備えている。制御部５００は、画像データに対する各種信号処理、並び替え等を行う画像処理やその他装置全体を制御するための入出力信号を処理するＡＳＩＣ５０５を備えている。
【００６１】
制御部５００は、液体吐出ヘッド１を駆動制御するためのデータ転送手段を含むヘッド駆動制御部５０８と、液体吐出ヘッド１を駆動するための駆動ＩＣ（ここでは「ヘッドドライバ」という。）５０９を備えている。
【００６２】
制御部５００は、キャリッジ４０３を移動走査する主走査モータ４０５、搬送ベルト４１２を周回移動させる副走査モータ４１６、維持回復機構４２０のキャップ４２１やワイパ部材４２３の移動、キャップ４２１に接続される吸引手段の駆動などを行なう維持回復モータ５５６を駆動するためのモータ駆動部５１０を備えている。
【００６３】
制御部５００は、ヘッドタンク４４１に所要の色の液体を送液する送液ポンプ４５４を駆動する供給系駆動部５１２を備えている。
【００６４】
制御部５００は、Ｉ／Ｏ部５１３を有している。Ｉ／Ｏ部５１３は、様々のセンサ情報を処理することができ、装置に装着されている各種のセンサ群５１５からの情報を取得する。そして、装置の制御に必要な情報を抽出し、ヘッド駆動制御部５０８やモータ駆動部５１０の制御などに使用する。センサ群５１５は、シート材４１０の位置を検出するための光学センサやカバーの開閉を検出するためのインターロックスイッチなどが含まれる。
【００６５】
制御部５００には、この装置に必要な情報の入力及び表示を行うための操作パネル５１４が接続されている。
【００６６】
ここで、制御部５００は、ホスト側とのデータ、信号の送受を行うためのＩ／Ｆ５０６を持っていて、パーソナルコンピュータ等の情報処理装置、画像読み取り装置などのホスト６００側のプリンタドライバ６０１からの所要の情報を、ケーブル或いはネットワークを介してＩ／Ｆ５０６で受信する。
【００６７】
そして、制御部５００のＣＰＵ５０１は、Ｉ／Ｆ５０６に含まれる受信バッファ内の印刷データを読み出して解析し、ＡＳＩＣ５０５にて必要な画像処理、データの並び替え処理等を行い、この画像データを印刷制御部５０８からヘッドドライバ５０９に転送する。なお、画像を出力するためドットパターンデータの生成はホスト６００側のプリンタドライバ６０１で行なうことも、制御部５００で行なうこともできる。
【００６８】
ヘッド駆動制御部５０８は、画像データをシリアルデータで転送するとともに、この画像データの転送及び転送の確定などに必要な転送クロックやラッチ信号などをヘッドドライバ５０９に転送する。また、ヘッド駆動制御部５０８は、ＲＯＭ５０２に格納保持している複数種類の駆動波形データを選択して駆動波形データとしてヘッドドライバ５０９に対して出力する。
【００６９】
ヘッドドライバ５０９は、ヘッド駆動制御部５０８からシリアルに転送される液体吐出ヘッド１の１行分に相当する画像データと、ヘッド駆動制御部５０８から転送される駆動波形データなどに基づいて、液体吐出ヘッド１の圧力発生手段（例えば圧電素子）毎に吐出駆動波形を生成して出力することで、液体吐出ヘッド１を駆動する。
【００７０】
本願において、吐出される液体は、ヘッドから吐出可能な粘度や表面張力を有するものであればよく、特に限定されないが、常温、常圧下において、または加熱、冷却により粘度が３０ｍＰａ・ｓ以下となるものであることが好ましい。より具体的には、水や有機溶媒等の溶媒、染料や顔料等の着色剤、重合性化合物、樹脂、界面活性剤等の機能性付与材料、ＤＮＡ、アミノ酸やたんぱく質、カルシウム等の生体適合材料、天然色素等の可食材料、などを含む溶液、懸濁液、エマルジョンなどであり、これらは例えば、インクジェット用インク、表面処理液、電子素子や発光素子の構成要素や電子回路レジストパターンの形成用液、３次元造形用材料液等の用途で用いることができる。
【００７１】
液体を吐出するエネルギー発生源として、圧電アクチュエータ（積層型圧電素子及び薄膜型圧電素子）、発熱抵抗体などの電気熱変換素子を用いるサーマルアクチュエータ、振動板と対向電極からなる静電アクチュエータなどを使用するものが含まれる。
【００７２】
「液体吐出ユニット」は、液体吐出ヘッドに機能部品、機構が一体化したものであり、液体の吐出に関連する部品の集合体が含まれる。例えば、「液体吐出ユニット」は、ヘッドタンク、キャリッジ、供給機構、維持回復機構、主走査移動機構、液体循環装置の構成の少なくとも一つを液体吐出ヘッドと組み合わせたものなどが含まれる。
【００７３】
ここで、一体化とは、例えば、液体吐出ヘッドと機能部品、機構が、締結、接着、係合などで互いに固定されているもの、一方が他方に対して移動可能に保持されているものを含む。また、液体吐出ヘッドと、機能部品、機構が互いに着脱可能に構成されていても良い。
【００７４】
例えば、液体吐出ユニットとして、液体吐出ヘッドとヘッドタンクが一体化されているものがある。また、チューブなどで互いに接続されて、液体吐出ヘッドとヘッドタンクが一体化されているものがある。ここで、これらの液体吐出ユニットのヘッドタンクと液体吐出ヘッドとの間にフィルタを含むユニットを追加することもできる。
【００７５】
また、液体吐出ユニットとして、液体吐出ヘッドとキャリッジが一体化されているものがある。
【００７６】
また、液体吐出ユニットとして、液体吐出ヘッドを走査移動機構の一部を構成するガイド部材に移動可能に保持させて、液体吐出ヘッドと走査移動機構が一体化されているものがある。また、液体吐出ヘッドとキャリッジと主走査移動機構が一体化されているものがある。
【００７７】
また、液体吐出ユニットとして、液体吐出ヘッドが取り付けられたキャリッジに、維持回復機構の一部であるキャップ部材を固定させて、液体吐出ヘッドとキャリッジと維持回復機構が一体化されているものがある。
【００７８】
また、液体吐出ユニットとして、ヘッドタンク若しくは流路部品が取付けられた液体吐出ヘッドにチューブが接続されて、液体吐出ヘッドと供給機構が一体化されているものがある。このチューブを介して、液体貯留源の液体が液体吐出ヘッドに供給される。
【００７９】
主走査移動機構は、ガイド部材単体も含むものとする。また、供給機構は、チューブ単体、装填部単体も含むものする。
【００８０】
なお、ここでは、「液体吐出ユニット」について、液体吐出ヘッドとの組み合わせで説明しているが、「液体吐出ユニット」には上述した液体吐出ヘッドを含むヘッドモジュールやヘッドユニットと上述したような機能部品、機構が一体化したものも含まれる。
【００８１】
「液体を吐出する装置」には、液体吐出ヘッド、液体吐出ユニット、ヘッドモジュール、ヘッドユニットなどを備え、液体吐出ヘッドを駆動させて液体を吐出させる装置が含まれる。液体を吐出する装置には、液体が付着可能なものに対して液体を吐出することが可能な装置だけでなく、液体を 気中や液中に向けて吐出する装置も含まれる。
【００８２】
この「液体を吐出する装置」は、液体が付着可能なものの給送、搬送、排紙に係わる手段、その他、前処理装置、後処理装置なども含むことができる。
【００８３】
例えば、「液体を吐出する装置」として、インクを吐出させて用紙に画像を形成する装置である画像形成装置、立体造形物（三次元造形物）を造形するために、粉体を層状に形成した粉体層に造形液を吐出させる立体造形装置（三次元造形装置）がある。
【００８４】
また、「液体を吐出する装置」は、吐出された液体によって文字、図形等の有意な画像が可視化されるものに限定されるものではない。例えば、それ自体意味を持たないパターン等を形成するもの、三次元像を造形するものも含まれる。
【００８５】
上記「液体が付着可能なもの」とは、液体が少なくとも一時的に付着可能なものであって、付着して固着するもの、付着して浸透するものなどを意味する。具体例としては、用紙、記録紙、記録用紙、フィルム、布などの被記録媒体、電子基板、圧電素子などの電子部品、粉体層（粉末層）、臓器モデル、検査用セルなどの媒体であり、特に限定しない限り、液体が付着するすべてのものが含まれる。
【００８６】
上記「液体が付着可能なもの」の材質は、紙、糸、繊維、布帛、皮革、金属、プラスチック、ガラス、木材、セラミックスなど液体が一時的でも付着可能であればよい。
【００８７】
また、「液体を吐出する装置」は、液体吐出ヘッドと液体が付着可能なものとが相対的に移動する装置があるが、これに限定するものではない。具体例としては、液体吐出ヘッドを移動させるシリアル型装置、液体吐出ヘッドを移動させないライン型装置などが含まれる。
【００８８】
また、「液体を吐出する装置」としては、他にも、用紙の表面を改質するなどの目的で用紙の表面に処理液を塗布するために処理液を用紙に吐出する処理液塗布装置、原材料を溶液中に分散した組成液を、ノズルを介して噴射させて原材料の微粒子を造粒する噴射造粒装置などがある。
【００８９】
なお、本願の用語における、画像形成、記録、印字、印写、印刷、造形等はいずれも同義語とする。
【符号の説明】
【００９０】
１  液体吐出ヘッド
１１、１１Ａ〜１１Ｃ  ノズル
２１  圧力室
２２  供給流路
２３  供給口
５１Ａ、５１Ｂ  共通流路支流
６１Ａ、６１Ｂ  共通流路本流
４０３  キャリッジ
４４０  液体吐出ユニット
５００  印刷装置（液体を吐出する装置）
【図１】
2019177595.tif 000003
【図２】
2019177595.tif 000004
【図３】
2019177595.tif 000005
【図４】
2019177595.tif 000006
【図５】
2019177595.tif 000007
【図６】
2019177595.tif 000008
【図７】
2019177595.tif 000009
【図８】
2019177595.tif 000010